(57)【要約】【課題】特別な装置や用紙等を必要とせずに、宛先の情報を登録する手間を省力化できる通信端末装置を提供する。【解決手段】この通信端末装置は、当該装置に接続されたネットワーク上を探索し、登録候補の通信端末装置が検出されると、宛先の装置名を宛先名に、ネットワークアドレスをアドレスとし、ファクシミリ通信の電話番号や電子メールのアドレス等と同様に宛先情報記憶手段（電話帳）へ登録する。この宛先情報記憶手段の宛先情報は、登録時または登録後において宛先情報編集が行える。【選択図】図３
2006140840.tif 000002
【特許請求の範囲】
【請求項１】
通信先の宛先情報を複数登録可能な宛先情報記憶手段と、ネットワーク上のデータ転送可能な通信端末装置を探索する探索手段と、前記探索手段で検出した通信端末装置の宛先情報を前記宛先情報記憶手段に登録する登録手段を備えることを特徴とする通信端末装置。
【請求項２】
請求項１に記載の通信端末装置において、前記宛先情報を装置名とネットワークアドレスとし、前記登録手段は、装置名を宛先名、該装置のネットワークアドレスを宛先アドレスとして前記宛先情報記憶手段に登録することを特徴とする通信端末装置。
【請求項３】
請求項１または２に記載の通信端末装置において、前記登録手段では、登録する前に宛先名を編集できるようにしたことを特徴とする通信端末装置。
【請求項４】
請求項１、２または３に記載の通信端末装置において、前記登録手段の宛先情報の登録を手動あるいは自動で行うかを設定する設定手段を備え、この選択を利用者が任意で行えるようにしたことを特徴とする通信端末装置。
【請求項５】
請求項１乃至４のいずれかに記載の通信端末装置において、前記探索手段の起動する時期を設定する探索時期設定手段を備え、この設定を利用者が任意で行えるようにしたことを特徴とする通信端末装置。
【請求項６】
請求項５に記載の通信端末装置において、前記探索時期は、電源投入時、定期的、利用者の指定した時間の１つあるいは２つ以上の組み合わせからなることを特徴とする通信端末装置。
【請求項７】
請求項１乃至４のいずれかに記載の通信端末装置において、前記探索手段を利用者の指示によって実行できるようにしたことを特徴とする通信端末装置。
【請求項８】
請求項１乃至７のいずれかに記載の通信端末装置において、前記宛先情報記憶手段の宛先情報を編集する編集手段を備えることを特徴とする通信端末装置。
【請求項９】
画像を読み取る読取手段と、通信先の宛先情報を複数登録可能な宛先情報記憶手段と、前記宛先情報記憶手段の内容を表示させて宛先を選択可能とする宛先選択手段とを備え、前記宛先情報記憶手段から選択した宛先へ前記読取手段で読み取った画像を転送する通信端末装置において、ネットワーク上のデータ転送可能な通信端末装置を探索する探索手段と、前記探索手段で検出した通信端末装置の宛先情報を前記宛先情報記憶手段に登録する登録手段を備えることを特徴とする通信端末装置。
【請求項１０】
複数の通信端末装置をネットワークで接続した通信システムにおいて、送信側の前記通信端末装置は、通信先の宛先情報を複数登録可能な宛先情報記憶手段と、前記ネットワーク上のデータ転送可能な通信端末装置へ当該装置の宛先情報を問い合わせる探索手段と、前記探索手段で返信された通信端末装置の宛先情報を前記宛先情報記憶手段に登録する登録手段を備え、
受信側の前記通信端末装置は、前記送信側の通信端末装置からの問合せに、自装置がデータ転送可能であれば、自装置の宛先情報を返信する返信手段を備える
ことを特徴とする通信システム。
【請求項１１】
コンピュータに、請求項１乃至９のいずれかに記載の通信端末装置の機能、または、請求項１０に記載の通信システムの機能を実現させるためのプログラム。
【請求項１２】
請求項１１に記載のプログラムを記録するコンピュータ読み取り可能な記録媒体。
【発明の詳細な説明】
【技術分野】
【０００１】
本発明は、通信端末装置、通信システム、プログラムおよび記録媒体に関し、具体的には、データを転送するときの宛先情報の登録方法であって、電話帳機能を有するファクシミリやスキャナ装置に適用して好適である。
【背景技術】
【０００２】
近年、通信端末装置の高性能化は目覚しく、画像転送方法として、ファクシミリ、電子メール、ネットワークスキャナなど複数の機能が搭載されるようになってきている。
通信端末装置で画像転送を行うには、ユーザＩＤを入力し、入力されたユーザＩＤに対応する外部装置に対して画像を転送する。これによって、ユーザは転送された画像を外部装置において取得することができる（例えば、特許文献１参照）。
【０００３】
この送信先を特定するためには、ユーザは、宛先のファクシミリ電話番号、電子メールアドレスやユーザＩＤのいずれかを入力しなければならない。これを簡略化させるために、予め宛先となる電話番号、電子メールアドレスやユーザＩＤを登録しておく電話帳機能がある。転送時には、電話帳の一覧を表示させ、その中から宛先を選択することによって、簡易に宛先の指定を行って転送することができる。
【０００４】
しかしながら、宛先が複数件存在するような場合に、ユーザがそれらを１件ずつ、電話帳へキー入力にて登録することは、非常に効率が悪く、誤入力による登録ミスを引き起こす可能性が高い。
【０００５】
これを解決するために、特許文献２の技術では、原稿をマークシートとし、そのシート基準位置をもとに、宛先名記入欄、電話番号の記入欄、削除欄の内容を文字認識機能により読み取って、電話帳へ登録する。これにより、電話帳への登録作業を効率的、かつ正確に行なうことができる。
【０００６】
また、特許文献３の技術は、通信回線で接続されたファクシミリ装置において、受信側がポーリング信号を送信側へ送って、送信側の電話帳等の情報を取得して登録する。これにより、一箇所の主端末に情報を登録しておけば、必要に応じて他の端末に自動的に登録することができ、オペレータの操作上の負担を大幅に削減できる。
【特許文献１】特開２００３−５１９１３号公報
【特許文献２】特開平８−２５１３７５号公報
【特許文献３】特開平１０−９８６０４号公報
【発明の開示】
【発明が解決しようとする課題】
【０００７】
しかしながら、上述した特許文献２の技術では、原稿を特殊な用紙としなければならず、また、文字認識機能をも備えていなければならない。
また、特許文献３の技術では、一箇所の端末の電話帳には、１つ１つ登録することにはかわりがない。
【０００８】
本発明は、上述した実情を考慮してなされたものであって、特別な装置や用紙等を必要とせずに、宛先の情報を登録する手間を省力化できる通信端末装置、通信システム、プログラムおよび記録媒体を提供することを目的とする。
【課題を解決するための手段】
【０００９】
本発明の通信システムは、通信端末装置をネットワークで接続し、装置間の宛先情報（装置名とネットワークアドレス）を宛先情報記憶手段から選択して、データ転送するものであり、次に述べる構成でデータ通信可能な通信端末装置の宛先情報を得るようにして、上記課題を解決した。
【００１０】
まず、データ転送可能な通信端末装置であるか、また、可能であれば自装置の宛先情報を返信する要求を当該装置とネットワークで接続された通信端末装置に対して送信する。
この要求は、電源投入時、定期的、利用者の指定した時間の１つあるいは２つ以上の組み合わせ、あるいは、ユーザの指示によって実行する。また、この実行時期は、ユーザによって随時設定変更することができる。
【００１１】
要求を受信した通信端末装置は、自装置がデータ転送可能かを判断して、可能であれば自装置の宛先情報を返信する。
【００１２】
要求した通信端末装置は、返信された宛先情報を宛先情報記憶手段に登録する。
ここで、登録する場合、自動登録として設定されていれば、異なる宛先情報のみを宛先情報記憶手段へ登録する。
また、手動登録として設定されていれば、異なる宛先情報を表示させてユーザに登録するか否かを問い合わせる。ここでユーザは表示された宛先情報を編集することができる。
ユーザによって登録の指示があった宛先情報のみを宛先情報記憶手段へ登録する。
【００１３】
また、本発明は、上述した構成の通信端末装置あるいは通信システムの機能を実現させるためのプログラムまたはそのプログラムを記録したコンピュータ読み取り可能な記録媒体によっても上記課題を解決することができる。
【発明の効果】
【００１４】
本発明によれば、宛先情報の登録の手間を省き、さらに転送方法を示す識別子の入力を省略することができる。これによって通信端末装置側の操作を減らすことができるため、初期段階で、ユーザは自分側の装置の設定のみを意識すればよく、さらに利用時に画像転送方法を意識せずに宛先情報の登録が可能である。
【発明を実施するための最良の形態】
【００１５】
以下、図面を参照して本発明の通信システムおよび通信端末装置に係る好適な実施形態について説明する。
【００１６】
図１は、本実施形態の通信システムの構成を示すブロック図である。同図において、通信システムは、ネットワーク３０を介して任意台数の通信端末装置１０を接続している。また、通信端末装置１０がファクシミリ機能を備えている場合には、公衆回線網４０を介して接続している。
【００１７】
なお、この通信端末装置１０は、ファクシミリ、電子メールあるいはファイル交換等のデータ転送によって情報の送受信が可能な情報処理装置、ファクシミリ装置、プリンタ装置、スキャナ装置、複写装置、あるいはファクシミリ機能、スキャナ機能、プリンタ機能や複写機能等の複数の機能を備える複合機のうちいずれであっても適用することができるが、本実施形態では、ネットワークへ接続可能なファクシミリ装置を中心とし、この装置とネットワークで接続される装置は上記のいずれの装置（例えば、情報処理装置）であってもよい。
【００１８】
ネットワーク３０は、本通信システムに接続されるすべての通信端末装置１０を結合するための伝送路であって、一般には、ケーブルで実現され、通信プロトコルにはＴＣＰ／ＩＰ（Transmission Control Protocol／Internet Protocol）やＳＭＴＰ／ＰＯＰ（Simple Mail Transfer Protocol／Post Office Protocol）が使われる。但し、伝送路としてはケーブルだけではなく、それらの間の通信プロトコルが一致するものであれば無線および有線のいずれであってもよく、例えば、ＬＡＮ（Local Area Network）、ＷＡＮ（Wide Area Network）やインターネットなどを用いることができる。
公衆回線網４０は、本システムに存在する通信端末装置１０のうちファクシミリ機能をもつ装置を接続し、ファクシミリ通信を行う伝送路である。
【００１９】
図２は、通信端末装置１０をファクシミリとした場合の構成を示すブロック図である。同図において、通信端末装置１０は、制御部１１、ＲＯＭ１２、ＲＡＭ１３、スキャナ部１４、プロッタ部１５、操作表示部１６、符号化復号化部１７、記憶装置１８、時計部１９、モデム２０、ネットワークＩ／Ｆ部２１から構成されている。
また、制御部１１、ＲＯＭ１２、ＲＡＭ１３、スキャナ部１４、プロッタ部１５、操作表示部１６、符号化復号化部１７、記憶装置１８、時計部１９、モデム２０、ネットワークＩ／Ｆ部２１は、内部バス２２に接続されており、この内部バス２２を介してデータの授受が行われる。
【００２０】
制御部１１は、通信端末装置１０の全体の制御し、各部を動作させて、装置のもつ各種の機能を実現する。
ＲＯＭ１２は、制御部１１が実行する制御プログラムや自装置に固有な各種の情報を記憶する。
ＲＡＭ１３は、制御部１１が実行する制御処理プログラム、および、制御処理プログラムを実行するときに必要な各種情報などを記憶するワークエリアを構成する。
スキャナ部１４は、所定の解像度で原稿の画像を読み取り、符号化された画像データを記憶装置１８へ記憶させる。
プロッタ部１５は、受信した画像データを所定の解像度で記録出力する。
【００２１】
操作表示部１６は、通信端末装置１０を操作するもので、各種の操作キーを備える操作パネルおよび各種の情報を表示する表示部から構成される。
操作パネルの操作では、自装置の動作の決定、各種情報の設定や登録の認可の選択や編集を操作する。また、表示部では、自装置の動作状態、設定情報やユーザへの説明などの表示や選択画面を表示する。
【００２２】
符号化復号化部１７は、画像データを符号化圧縮（ＭＨ、ＭＲ、ＭＭＲ）するとともに、符号化圧縮されている画像データを元の画像データに復号化する。
記憶装置１８は、符号化復号化部１７により符号化圧縮された状態の画像データを蓄積したり、転送データの宛先等を保持する宛先情報記憶手段や自装置の機能を実行するのに必要な各種パラメータ等を記憶する。
時計部１９は、現在時刻情報を出力し、制御部１１ではこの時刻を基にして、定期的なあるいは指定された時刻におけるプログラムを実行させる。
【００２３】
モデム２０は、ファクシミリ伝送制御手順の信号をやりとりするための低速モデム機能および主に画像情報をやりとりするための高速モデム機能を備えたＧ３ファクシミリのモデムであり、公衆回線網４０を介して他の装置と接続し、主にファクシミリ機能の画像転送などに利用する。
【００２４】
ネットワークＩ／Ｆ部２１は、ＴＣＰ／ＩＰやＳＭＴＰ／ＰＯＰなどのプロトコルを用いて、通信端末装置１０をネットワーク３０に接続させ、自装置と他の装置とのデータの送受信を行う。
【００２５】
図３は、本実施形態に係る通信端末装置１０の新規宛先登録処理の機能構成を示すブロック図であり、同図において、通信端末装置１０における新規宛先登録機能は、制御手段２３、設定手段２４、設定情報記憶手段２５、新規宛先登録手段２６、宛先情報記憶手段２７を含んで構成されている。
制御手段２３は、ユーザが操作表示部１６の操作パネルで指定された操作や入力情報を設定手段２４や新規宛先登録手段２６へ引き渡したり、設定手段２４で設定した時刻における時計割り込みを処理して、新規宛先登録手段２６を実行させる。
【００２６】
設定手段２４は、ユーザが操作パネルで新規宛先検出時設定の実行を指示されたときに、制御手段２３から呼び出されると、新規宛先検出時設定画面（例えば、図４）を操作表示部１６の表示部へ表示させる。
【００２７】
図４では、（１）新規宛先を発見したときに、自動的に登録するかまたは人が判断してから登録するか、（２）新規宛先の検索をいつ行うかという、２種類の設定部分に分かれる。
（１）は、「自動登録」あるいは「手動登録」のいずれかから選択する。「自動登録」は新規宛先を発見したときに自動的に宛先情報記憶手段２７へ登録するものであり、「手動登録」は新規宛先を発見したときに一旦表示させて登録あるいは編集の可否を選択するようにしたものである。また、指定されていないときには、「自動登録」が選択されているものとする。
【００２８】
（２）は、「定期的」、「時刻指定」、「電源投入時」のなかから１つ以上選択可能である。「定期的」は、予め決められた時間あるいは指定された時間を基準とした数分〜１時間の間隔を指定し（例えば、２２：００から５分、１５分、３０分、１時間間隔等）、この指定された時間間隔で新規宛先を探索する。「時刻指定」は、新規宛先の探索を開始する時刻（複数可）を指定する。「電源投入時」は、通信端末装置１０の電源を入れたときに新規宛先の探索を開始することを指定する。また、指定されないと、「電源投入時」、予め設定されている時間および「予め設定されている時間間隔で定期的に」動作するものとする。
【００２９】
設定手段２４は、ユーザが画面上の登録ボタンを押下すると、上記の２種類の設定を設定情報記憶手段２５へ記憶する。
また、上記（１）および（２）の既定値は、通信端末装置を設置する前に予め設定情報記憶手段２５へ記憶させておくものとする。
【００３０】
宛先情報記憶手段２７は、ネットワーク３０および公衆回線網４０に接続された通信端末装置１０の宛先情報を格納しており、少なくとも次のデータ項目を保持している（例えば、図５参照）。
アドレス：ネットワーク３０または公衆回線網４０に接続された通信端末装置の宛先を表すアドレスであり、ネットワークアドレス、ファクシミリ通信の電話番号、電子メールのアドレスで表現される。
宛先：上記アドレスの宛先名であり、通信端末装置１０の名前であり、編集指示によって変更することができる。
識別：上記のアドレスを使ってデータ転送する時の転送方法の区別を示し、ここでは、ファクシミリ通信によってデータ転送する「ファクシミリ通信」、電子メールによってデータ転送する「電子メール」およびネットワークスキャナから取り込まれ情報処理装置へデータ転送する「スキャン」等の区別がある。この識別は、新規宛先として検出された通信端末の種類によって転送方法を自動的に判定し、宛先情報記憶手段２７へ登録される。
ここで、アドレスは重複を許さないが、宛先は重複していてもよい。
【００３１】
制御手段２３は、時計部１９の現在の時刻と、設定情報記憶手段２５に記憶された時間（定期的に実行される時間、電源投入時あるいはユーザによって指定された時刻）とを比較し、一致している場合には、新規宛先登録手段２６を呼び出して実行させる。
また、制御手段２３は、ユーザが操作パネルから新規宛先登録機能の実行を指示すると、新規宛先登録手段２６を呼び出して実行させる。
【００３２】
呼び出された新規宛先登録手段２６は、まず、ネットワーク３０に接続した各通信端末装置がデータ転送可能な装置であるか、また、可能であれば自装置の宛先情報を要求するパケットをブロードキャストアドレス宛てに送信する。このブロードキャストアドレスは、ネットワーク３０に接続したすべての通信端末装置１０にデータを送信するために使われる特殊なアドレスである。
【００３３】
ネットワーク３０に接続した通信端末装置１０では、ブロードキャストパケットを受け取る設定にしておき、受け取った宛先情報要求パケットに応じて、自装置がデータ転送可能かを判断し、可能であれば自装置の宛先情報（ネットワークアドレスおよび装置の名前等）をパケットとして返送する。
【００３４】
新規宛先登録手段２６は、ブロードキャスト送信してから所定の時間まで通信端末装置１０からの返信パケットを待つ。この時間内に返信パケットを受信すると、この受信したパケットから返信した装置の宛先情報（ネットワークアドレスや装置の名前等）を獲得する。
【００３５】
新規宛先登録手段２６では、宛先情報記憶手段２７のデータ項目（アドレス）と獲得した宛先情報のネットワークアドレスとを比較して、同じアドレスが存在すればその通信端末装置１０の宛先情報を無視する（登録しない）。
しかし、同じアドレスが存在しないときには、設定情報記憶手段２５に記憶されている登録方法が「自動登録」であれば、受信した宛先情報のうちネットワークアドレスをアドレス、装置の名前等を宛先、この装置の種類から決定される転送方法を識別の各データ項目へ設定して宛先情報記憶手段２７へ追加登録する。ここで、登録が完了したときに、完了メッセージを表示部に表示するようにしても良い。
【００３６】
また、設定情報記憶手段２５に記憶されている登録方法が「手動登録」であれば、操作表示部１６の表示部へ新規宛先検出画面を表示させる（例えば、図６参照）。
図６では、宛先情報のうちネットワークアドレスと装置の名前を表示している。ここで、編集ボタンを押下すると、宛先名をユーザが編集することができる。登録ボタンを押下すると、検出した宛先情報または編集した宛先情報を宛先情報記憶手段２７へ登録する。ここで、登録が完了したときに、完了メッセージを表示部に表示するようにしても良い。
また、キャンセルボタンは、この検出した通信端末装置の宛先情報を登録しないことを指示する。
【００３７】
新規宛先登録手段２６は、通信端末装置１０からの返信パケットが受信されなくなるまで、あるいは所定の時間内についての受信パケットについて上記の宛先情報の登録処理を行って、受信されなくなると登録処理を終了する。
上記の新規宛先登録手段２６では、返信パケットを受信するたびに宛先情報の登録処理を行うようにしているが、返信パケットをすべて受信してから、受け取った宛先情報をまとめて登録処理するようにしてもよい。
【００３８】
また、通信端末装置１０がファクシミリ機能を備えているときには、受信したときのプロトコルや画像データを解析して、送信元の宛先アドレス（ファクシミリ装置の電話番号）、名前および転送方法（ファクシミリ通信）等を抽出して、宛先情報記憶手段２７へ登録するようにしてもよい。
【００３９】
また、通信端末装置１０が電子メールを受信可能であれば、受信した電子メールを解析して、リプライ先の電子メールアドレス、相手の名前および転送方法（電子メール）等を抽出して、宛先情報記憶手段２７へ登録するようにしてもよい。
【００４０】
さらに、宛先情報記憶手段２７に記憶された宛先名等の編集は、登録処理終了後も随時可能であり、編集の内容として変更、削除、複写はもちろんのこと、上記登録情報にファクシミリ通信や電子メール等の情報の追加、もしくは他の登録情報の追加などが行える。
【００４１】
以上の構成により、ユーザが転送先の宛先情報を登録する手間を省き、さらに転送方法を示す識別子の入力を省略することができる。
これによって通信端末装置側の操作を減らすことができるため、初期段階で、ユーザは自分側の装置の設定のみを意識すればよい。
さらに、宛先情報として、電子メールアドレス、ファクシミリ通信用の電話番号やネットワークアドレス等を同時に登録しておけるので、画像転送方法を意識せずに登録することができる。
【００４２】
図７は、本実施形態に係る通信端末装置１０の新規宛先登録処理の処理手順を示すフローチャートである。
まず、通信端末装置１０の電源投入時、または定期的、または利用者の操作により新規宛先登録手段２６が起動されると、ネットワーク３０内の画像転送可能な宛先登録候補となる通信端末装置１０に対して、各自装置の宛先情報を要求するパケットをブロードキャストアドレス宛てに送信する（ステップＳ１０）。
【００４３】
通信端末装置１０からの返信パケットがあると（ステップＳ１１のＹＥＳ）、受信したパケットから装置の宛先情報（ネットワークアドレスや装置の名前等）を獲得し、宛先情報記憶手段２７のデータ項目（アドレス）と獲得した宛先情報のネットワークアドレスとを比較する（ステップＳ１２）。
受信した装置のアドレスが存在すれば（ステップＳ１２のＹＥＳ）、その通信端末装置１０の宛先情報を無視して次の返信パケットを処理するためにステップＳ１１へ戻る。
【００４４】
一方、同じアドレスが存在しないときには（ステップＳ１２のＮＯ）、設定情報記憶手段２５に記憶されている登録方法を調べ、「自動登録」であれば（ステップＳ１３の「自動」）、受信した宛先情報を登録するためにステップＳ１６へ進む。
また、登録方法が「手動登録」であれば（ステップＳ１３の「手動」）、操作表示部１６の表示部へ新規宛先検出画面を表示させ（例えば、図６参照）、ユーザが編集ボタンを押下したときには宛先名を編集させる（ステップＳ１４）。
【００４５】
ユーザが登録ボタンを押下すると（ステップＳ１５のＹＥＳ）、検出したネットワークアドレスをアドレス、検出あるいは編集した装置の名前等を宛先、この装置の種類から決定される転送方法を識別の各データ項目へ設定して宛先情報記憶手段２７へ追加登録し（ステップＳ１６）、次の返信パケットを処理するためにステップＳ１１へ戻る。ここで、登録が完了したときに、完了メッセージを表示部に表示するようにしても良い。
また、ユーザがキャンセルボタンを押下すると（ステップＳ１５のＮＯ）、この検出した通信端末装置の宛先情報を登録せずに、次の返信パケットを処理するためにステップＳ１１へ戻る。
【００４６】
また、通信端末装置１０からの返信パケットが受信されなくなると（ステップＳ１１のＮＯ）、宛先情報の登録処理を終了する。ここで、宛先情報の要求を送ってから所定の時間内に返信されるパケットについてのみ上記の処理を行うようにしてもよい。
【００４７】
本発明は、上述した実施形態の通信端末装置の新規宛先登録処理を構成する各機能をそれぞれプログラム化し、予めＲＯＭのような記録媒体に書き込んでおき、通信端末装置にこのＲＯＭを装着して、これらのプログラムをマイクロプロセッサで実行することによって、本発明の目的が達成されることは言うまでもない。
この場合、記録媒体から読み出されて実行された状態が上述した実施形態の機能を実現することになり、そのプログラムおよびそのプログラムを記録した記録媒体も本発明を構成することになる。
【００４８】
なお、このような機能を実現するプログラムは、半導体媒体（例えば、ＲＯＭ、不揮発性メモリ等）、光媒体（例えば、ＤＶＤ、ＭＯ、ＭＤ、ＣＤ等）、磁気媒体（例えば、磁気テープ、フレキシブルディスク等）等のいずれの形態の記録媒体で提供されてもよい。
あるいは、ネットワーク等の通信網を介して記憶装置に格納されたプログラムをサーバコンピュータから直接供給を受けるようにしてもよい。この場合、このサーバコンピュータの記憶装置も本発明の記録媒体に含まれる。
【００４９】
プログラムを上記のような記録媒体へ記録した場合、この記録媒体を媒体駆動装置に装着して、記録されたプログラムを記憶装置にインストールし、このインストールされたプログラムをマイクロプロセッサが実行する。このように、記録媒体から読み出されたプログラム自体が上述した実施形態の機能を実現することになり、そのプログラムおよびそのプログラムを記憶した記録媒体も本発明を構成することになる。
【００５０】
また、プログラムを実行することにより上述した実施形態の機能が実現されるだけでなく、そのプログラムの指示に基づき、オペレーティングシステムあるいは他のアプリケーションプログラム等と共同して処理することによって上述した実施形態の機能が実現される場合も含まれる。
【００５１】
尚、本発明は上述した実施形態に限定されず、本発明の要旨を逸脱しない範囲内で各種の変形、修正が可能であるのは勿論である。
【図面の簡単な説明】
【００５２】
【図１】本発明に係る実施形態の通信システムの構成を示すブロック図である。
【図２】本発明に係る通信システムに使用される通信端末装置の構成例を示すブロック図である。
【図３】本発明に係る通信端末装置の新規宛先登録の機能構成を示すブロック図である。
【図４】宛先の探索時期および新規に宛先を検出した時の動作を設定するときの画面例である。
【図５】宛先情報記憶手段のデータ構造例である。
【図６】新規に宛先を検出したときの通知および登録確認画面例である。
【図７】本発明に係る通信端末装置の新規宛先登録の処理手順を示すフローチャートである。
【符号の説明】
【００５３】
１０…通信端末装置、１１…制御部、１２…ＲＯＭ、１３…ＲＡＭ、１４…スキャナ部、１５…プロッタ部、１６…操作表示部、１７…符号化復号化部、１８…記憶装置、１９…時計部、２０…モデム、２１…ネットワークＩ／Ｆ部、２２…内部バス、２３…制御手段、２４…設定手段、２５…設定情報記憶手段、２６…新規宛先登録手段、２７…宛先情報記憶手段、３０…ネットワーク、４０…公衆回線網。
【図１】
2006140840.tif 000003
【図２】
2006140840.tif 000004
【図３】
2006140840.tif 000005
【図４】
2006140840.tif 000006
【図５】
2006140840.tif 000007
【図６】
2006140840.tif 000008
【図７】
2006140840.tif 000009